(57)【要約】方法、回路、および移動端末装置が、移動端末装置の位置を算出する。移動端末装置の位置は、少なくとも１つのデジタル・テレビ送信機から、移動端末装置において受信されたデジタル・テレビ信号からから導出された距離推定値、および少なくとも１つの他のタイプの送信機から、移動端末装置において受信された信号から導出された距離推定値に基づいて推定される。例えば、他のタイプの送信機は、ＧＰＳ衛星、または移動遠隔通信網の基地局であることが可能である。したがって、複数のソースからの測距信号を組み合わせることにより、移動端末装置の位置を推定するのに十分な信号を獲得する際の柔軟性を高めることができ、位置の推定に、弱いデジタル・テレビ信号の使用を要さない可能性がある。
2006504094.tif 000002
【特許請求の範囲】
【請求項１】
移動端末装置の位置を算出するための方法であって、
少なくとも１つのデジタル・テレビ送信機から、前記移動端末装置において受信されたデジタル・テレビ信号から導出された距離推定値、および少なくとも１つの他のタイプの送信機から、前記移動端末装置において受信された信号から導出された距離推定値に基づき、前記移動端末装置の前記位置を推定することを含むことを特徴とする方法。
【請求項２】
前記デジタル・テレビ信号は、第１のタイプの信号であり、前記移動端末装置の前記位置を推定することは、
少なくとも１つのデジタル・テレビ送信機からのデジタル・テレビ信号を前記移動端末装置において受信すること、
前記少なくとも１つの他のタイプの送信機からの、デジタル・テレビ信号とは異なる第２のタイプの信号を前記移動端末装置において受信すること、
前記デジタル・テレビ信号の受信された信号に関する飛行時間を測定すること、
前記第２のタイプの信号の受信された信号に関する飛行時間を測定すること、
前記飛行時間測定値を距離値に換算すること、および
前記距離値を使用して前記移動端末装置の前記位置を推定して、前記デジタル・テレビ信号と前記第２のタイプの信号の両方に基づく位置推定を提供することを含むことを特徴とする請求項１に記載の方法。
【請求項３】
前記飛行時間測定値を距離値に換算することは、少なくとも３つの距離値を生成することを含むことを特徴とする請求項２に記載の方法。
【請求項４】
受信されたデジタル・テレビ信号と前記第２のタイプの信号の総数は、３より多く、前記デジタル・テレビ信号の受信された信号に関する飛行時間を測定することは、第１の信号品質基準に基づいて飛行時間を測定するために使用する受信されたデジタル・テレビ信号の少なくとも１つを選択することを含み、前記第２のタイプの信号の受信された信号に関する飛行時間を測定することは、第２の信号品質基準に基づいて飛行時間を測定するために使用する前記受信された第２のタイプの信号の少なくとも１つを選択することを含むことを特徴とする請求項３に記載の方法。
【請求項５】
前記第１の信号品質基準と前記第２の信号品質基準の少なくともどちらかは、最小受信信号強度を含むことを特徴とする請求項４に記載の方法。
【請求項６】
第１の信号品質基準に基づいて飛行時間を測定するために使用する前記受信されたデジタル・テレビ信号の少なくとも１つを選択すること、および第２の信号品質基準に基づいて飛行時間を測定するために使用する前記受信された第２のタイプの信号の少なくとも１つを選択することは、
前記受信信号のなかから最良の信号品質を有する複数の受信信号を識別し、前記複数の受信信号の少なくとも１つは、デジタル・テレビ信号であること、および
前記識別された複数の受信信号だけに関して飛行時間を測定することを含むことを特徴とする請求項４に記載の方法。
【請求項７】
前記複数の受信信号は、５つ未満の受信信号を含むことを特徴とする請求項６に記載の方法。
【請求項８】
前記第２のタイプの信号は、ＧＰＳ（グローバル・ポジショニング・システム）信号、または移動遠隔通信網のダウンリンク信号であることを特徴とする請求項４に記載の方法。
【請求項９】
デジタル・テレビ信号および前記第２のタイプの信号とは異なる少なくとも１つの第３のタイプの信号を前記移動端末装置において受信すること、
前記第３のタイプの信号の受信された信号に関する飛行時間を測定すること、ならびに、
前記距離値を使用して前記移動端末装置の前記位置を推定して、前記デジタル・テレビ信号と前記第２のタイプの信号の両方に基づく位置推定を提供することは、前記距離値を使用して前記移動端末装置の前記位置を推定して、前記デジタル・テレビ信号、前記第２のタイプの信号、および前記第３のタイプの信号に基づく位置推定を提供することを含むことを特徴とする請求項４に記載の方法。
【請求項１０】
前記第３のタイプの信号は、ＧＰＳ（グローバル・ポジショニング・システム）信号であり、前記第２のタイプの信号は、移動遠隔通信網のダウンリンク信号であることを特徴とする請求項９に記載の方法。
【請求項１１】
前記デジタル・テレビ信号の受信された信号に関する飛行時間を測定すること、および前記第２のタイプの信号の受信された信号に関連する飛行時間を測定することは、単一の時間測定ユニットを使用して、前記デジタル・テレビ信号と前記第２のタイプの信号の両方に関する前記それぞれの飛行時間を測定することをさらに含むことを特徴とする請求項２に記載の方法。
【請求項１２】
前記単一の時間測定ユニットは、前記移動端末装置内部に配置され、周波数変換器と相関器回路とを含むことを特徴とする請求項１１に記載の方法。
【請求項１３】
少なくとも１つのデジタル・テレビ送信機から、前記移動端末装置において受信されたデジタル・テレビ信号から導出された距離推定値、および少なくとも１つの他のタイプの送信機から、前記移動端末装置において受信された信号から導出された距離推定値に基づき、前記移動端末装置の前記位置を推定することは、少なくとも３つの距離推定値に基づいて前記移動端末装置の前記位置を推定することを含むことを特徴とする請求項１に記載の方法。
【請求項１４】
受信されたデジタル・テレビ信号と少なくとも１つの他のタイプの送信機からの受信された信号の総数は、前記移動端末装置の前記位置を推定する際に使用される距離推定値の数より多く、前記移動端末装置の前記位置を推定することは、第１の信号品質基準に基づいて前記移動端末装置の前記位置を推定する際に使用される距離推定値を生成するのに使用する前記受信されたデジタル・テレビ信号の少なくとも１つを選択すること、および第２の信号品質基準に基づいて前記移動端末装置の前記位置を推定する際に使用される距離推定値を生成するのに使用する少なくとも１つの他のタイプの送信機からの前記受信された信号の少なくとも１つを選択することをさらに含むことを特徴とする請求項１３に記載の方法。
【請求項１５】
前記第１の信号品質基準と前記第２の信号品質基準の少なくともどちらかは、最小受信信号強度を含むことを特徴とする請求項１４に記載の方法。
【請求項１６】
距離推定値を生成するのに使用する前記受信されたデジタル・テレビ信号の少なくとも１つを選択すること、および距離推定値を生成するのに使用する少なくとも１つの他のタイプの送信機からの前記受信された信号の少なくとも１つを選択することは、
前記受信信号のなかから最良の信号品質を有する複数の受信信号を識別し、前記複数の受信信号の少なくとも１つは、デジタル・テレビ信号であること、および
前記識別された複数の受信信号だけに関して距離推定値を生成することを含むことを特徴とする請求項１４に記載の方法。
【請求項１７】
前記複数の受信信号は、５つ未満の受信信号を含むことを特徴とする請求項１６に記載の方法。
【請求項１８】
少なくとも１つの他のタイプの送信機からの前記受信された信号は、ＧＰＳ（グローバル・ポジショニング・システム）信号、または移動遠隔通信網のダウンリンク信号を含むことを特徴とする請求項１７に記載の方法。
【請求項１９】
少なくとも１つのデジタル・テレビ送信機から、前記移動端末装置において受信されたデジタル・テレビ信号から導出された距離推定値、および少なくとも１つの他のタイプの送信機から、前記移動端末装置において受信された信号から導出された距離推定値に基づき、前記移動端末装置の
前記位置を推定することは、少なくとも１つのデジタル・テレビ送信機から、前記移動端末装置において受信されたデジタル・テレビ信号から導出された距離推定値、および第２のタイプの送信機から、前記移動端末装置において受信された信号から導出された距離推定値、および第３のタイプの送信機から、前記移動端末装置において受信された信号から導出された距離推定値に基づき、前記移動端末装置の前記位置を推定することを含むことを特徴とする請求項１４に記載の方法。
【請求項２０】
前記第３のタイプの送信機からの前記受信された信号は、ＧＰＳ（グローバル・ポジショニング・システム）信号を含み、第２のタイプの送信機からの前記受信された信号は、移動遠隔通信網のダウンリンク信号を含むことを特徴とする請求項１９に記載の方法。
【請求項２１】
少なくとも１つのデジタル・テレビ送信機から、前記移動端末装置において受信されたデジタル・テレビ信号から導出された距離推定値、および少なくとも１つの他のタイプの送信機から、前記移動端末装置において受信された信号から導出された距離推定値に基づき、前記移動端末装置の前記位置を推定することは、前記距離推定値を遠隔位置算出サーバに供給すること、および前記遠隔位置算出サーバから前記移動端末装置の前記位置の前記推定を受け取ることを含むことを特徴とする請求項１に記載の方法。
【請求項２２】
少なくとも１つのデジタル・テレビ送信機から、前記移動端末装置において受信されたデジタル・テレビ信号から導出された距離推定値、および少なくとも１つの他のタイプの送信機から、前記移動端末装置において受信された信号から導出された距離推定値に基づき、前記移動端末装置の前記位置を推定することは、前記飛行時間測定値を遠隔位置算出サーバに供給すること、および前記遠隔位置算出サーバから前記移動端末装置の前記位置の前記推定を受け取ることを含み、前記飛行時間測定値を距離値に換算すること、および前記距離値を使用して前記移動端末装置の前記位置を推定することは、前記遠隔位置算出回路によって実行されることを特徴とする請求項２に記載の方法。
【請求項２３】
移動端末装置の位置を算出するための方法であって、
少なくとも１つのデジタル・テレビ送信機から、前記移動端末装置において受信されたデジタル・テレビ信号から導出された距離推定値、および
前記移動端末装置によって移動遠隔通信網の少なくとも１つの基地局に送信された信号から導出された距離推定値に基づき、前記移動端末装置の前記位置を推定することを含むことを特徴とする方法。
【請求項２４】
前記移動端末装置の前記位置を推定することは、
少なくとも１つのデジタル・テレビ送信機からのデジタル・テレビ信号を前記移動端末装置において受信すること、
前記移動端末装置から前記少なくとも１つの基地局に少なくとも１つの第２のタイプの信号を送信すること、
前記デジタル・テレビ信号の受信された信号に関する飛行時間を測定すること、
前記少なくとも１つの基地局において受信された前記第２のタイプの信号の送信された信号に関する飛行時間を測定すること、
前記飛行時間測定値を距離値に換算すること、および
前記距離値を使用して前記移動端末装置の前記位置を推定して、前記デジタル・テレビ信号と前記第２のタイプの信号の両方に基づく位置推定を提供することを含むことを特徴とする請求項２３に記載の方法。
【請求項２５】
前記少なくとも１つの基地局は、複数の基地局を含む方法であって、
前記複数の基地局に関連するクロック、および前記少なくとも１つのデジタル・テレビ送信機に関連するクロックを同期させることをさらに含むことを特徴とする請求項２４に記載の方法。
【請求項２６】
移動端末装置のための位置算出回路であって、
デジタル・テレビ送信機から受信されたデジタル・テレビ信号を処理するように構成されたテレビ信号処理回路と、
前記デジタル・テレビ送信機とは異なる代替タイプの送信機から受信された測距信号を処理するように構成された第２のタイプの信号処理回路と、
前記デジタル・テレビ送信機の少なくとも１つから受信されたデジタル・テレビ信号から導出された、前記デジタル・テレビ送信機の該少なくとも１つまでの距離推定値、および前記代替タイプの送信機の少なくとも１つの送信機からの受信された測距信号から導出された、前記代替タイプの送信機の該少なくとも１つの送信機までの距離推定値に基づき、前記移動端末装置の位置を推定する位置計算回路とを含むことを特徴とする位置算出回路。
【請求項２７】
移動端末装置のための位置算出回路であって、
デジタル・テレビ送信機から受信されたデジタル・テレビ信号を処理するように構成されたテレビ信号処理回路と、
移動遠隔通信網の基地局から受信された測距信号を処理するように構成された第２のタイプの信号処理回路と、
前記デジタル・テレビ送信機の少なくとも１つから受信されたデジタル・テレビ信号から導出された、前記デジタル・テレビ送信機の該少なくとも１つまでの距離推定値、および前記移動端末装置によって移動遠隔通信網の前記基地局に送信された信号から導出された、移動遠隔通信網送信機の前記基地局までの距離推定値に基づき、前記移動端末装置の位置を推定する位置計算回路とを含むことを特徴とする位置算出回路。
【請求項２８】
デジタル・テレビ送信機からデジタル・テレビ信号を受信し、前記デジタル・テレビ送信機とは異なる代替タイプの送信機から測距信号を受信するように構成された受信機と、
前記受信されたデジタル・テレビ信号を処理するように構成されたテレビ信号処理回路と、
前記デジタル・テレビ送信機とは異なる代替タイプの送信機から受信された前記測距信号を処理するように構成された第２のタイプの信号処理回路と、
前記デジタル・テレビ送信機の少なくとも１つから受信されたデジタル・テレビ信号から導出された、前記デジタル・テレビ送信機の該少なくとも１つまでの距離推定値、および前記代替タイプの送信機の少なくとも１つの送信機からの受信された測距信号から導出された、前記代替タイプの送信機の該少なくとも１つの送信機までの距離推定値に基づき、前記移動端末装置の位置を推定する位置計算回路とを含むことを特徴とする移動端末装置。
【請求項２９】
前記位置計算回路は、前記距離推定値を遠隔位置算出サーバに供給し、前記遠隔位置算出サーバから前記移動端末装置の前記位置の前記推定を受け取るプロセッサを含むことを特徴とする請求項２８に記載の移動端末装置。
【請求項３０】
前記代替タイプの送信機は、ＧＰＳ（グローバル・ポジショニング・システム）衛星、または移動遠隔通信網の基地局の少なくともどちらかを含むことを特徴とする請求項２８に記載の移動端末装置。
【請求項３１】
移動遠隔通信網の前記基地局は、地上基地局であることを特徴とする請求項３０に記載の移動端末装置。
【請求項３２】
前記位置計算回路は、少なくとも３つの距離推定値に基づいて前記移動端末装置の前記位置を推定するための手段をさらに含むことを特徴とする請求項２８に記載の移動端末装置。
【請求項３３】
受信されたデータ信号と少なくとも１つの他のタイプの送信機からの受信された信号の総数は、前記移動端末装置の前記位置を推定する際に使用される距離推定値の数よりも多く、前記位置計算回路は、第１の信号品質基準に基づいて前記移動端末装置の前記位置を推定する際に使用される距離推定値を生成するのに使用する、前記受信されたデジタル・テレビ信号の少なくとも１つを選択するため、および第２の信号品質基準に基づいて前記移動端末装置の前記位置を推定する際に使用される距離推定値を生成するのに使用する、前記代替タイプの送信機の少なくとも１つの送信機からの受信された信号の少なくとも１つを選択するための手段をさらに含むことを特徴とする請求項３２に記載の移動端末装置。
【請求項３４】
前記第１の信号品質基準と前記第２の信号品質基準の少なくともどちらかは、最小受信信号強度を含むことを特徴とする請求項３３に記載の移動端末装置。
【請求項３５】
距離推定値を生成するのに使用する前記受信されたデジタル・テレビ信号の少なくとも１つを選択するため、および前記代替タイプの送信機の少なくとも１つの送信機からの前記受信された信号の少なくとも１つから、前記受信された信号の少なくとも１つを選択するための前記手段は、
前記受信信号のなかから最良の信号品質を有する複数の受信信号を識別し、前記複数の受信信号の少なくとも１つは、デジタル・テレビ信号であること、および
前記識別された複数の受信信号だけに関して距離推定値を生成することを含むことを特徴とする請求項３３に記載の移動端末装置。
【請求項３６】
前記複数の受信信号は、５つ未満の受信信号を含むことを特徴とする請求項３５に記載の移動端末装置。
【請求項３７】
前記代替タイプの送信機の少なくとも１つの送信機からの前記受信された信号は、ＧＰＳ（グローバル・ポジショニング・システム）信号、または移動遠隔通信網のダウンリンク信号を含むことを特徴とする請求項３６に記載の移動端末装置。
【請求項３８】
前記位置計算回路は、少なくとも１つのデジタル・テレビ送信機から、前記移動端末装置において受信されたデジタル・テレビ信号から導出された距離推定値、第２のタイプの送信機から、前記移動端末装置において受信された信号から導出された距離推定値、および第３のタイプの送信機から、前記移動端末装置において受信された信号から導出された距離推定値に基づき、前記移動端末装置の前記位置を推定するための手段をさらに含むことを特徴とする請求項３３に記載の移動端末装置。
【請求項３９】
前記第３のタイプの送信機は、ＧＰＳ（グローバル・ポジショニング・システム）衛星を含み、前記第２のタイプの送信機は、移動遠隔通信網の基地局を含むことを特徴とする請求項３８に記載の移動端末装置。
【請求項４０】
位置計算回路は、単一の時間測定ユニットを使用して、前記デジタル・テレビ信号と前記受信された測距信号の両方に関する前記それぞれの飛行時間を測定するための手段をさらに含むことを特徴とする請求項２８に記載の移動端末装置。
【請求項４１】
単一の時間測定ユニットを使用するための前記手段は、周波数変換器と、相関器回路とをさらに含むことを特徴とする請求項４０に記載の移動端末装置。
【請求項４２】
移動端末装置の位置を算出するための方法であって、
前記移動端末装置において送信元デジタル・テレビ送信機からのデジタル・テレビ信号を受信し、前記デジタル・テレビ信号は、前記移動端末装置の近辺における少なくとも１つの他の測距情報送信機のＩＤと、前記送信元デジタル・テレビ送信機のタイミングと前記少なくとも１つの他の測距情報送信機のタイミングの間のタイミング関係とを含むこと、
前記受信されたタイミング関係に基づいて前記少なくとも１つの他の測距情報送信機から測距信号を受信すること、および
前記送信元デジタル・テレビ送信機から、前記移動端末装置において受信された前記デジタル・テレビ信号から導出された距離推定値、および前記少なくとも１つの他の測距情報送信機から受信された前記測距信号から導出された距離推定値に基づき、前記移動端末装置の前記位置を推定することを含むことを特徴とする方法。
【請求項４３】
前記少なくとも１つの他の測距情報送信機は、少なくとも１つの他のデジタル・テレビ送信機を含み、前記受信されたタイミング関係に基づいて前記少なくとも１つの他の測距情報送信機から測距信号を受信することは、前記測距信号、前記受信されたタイミング関係に基づいて前記少なくとも１つの他のデジタル・テレビ送信機からデジタル・テレビ信号を受信することを含むことを特徴とする請求項４２に記載の方法。
【請求項４４】
前記少なくとも１つの他のデジタル送信機からデジタル・テレビ信号を受信することは、前記受信されたタイミング関係に基づいて前記少なくとも１つの他のデジタル送信機から前記デジタル・テレビ信号を獲得することを含むことを特徴とする請求項４３に記載の方法。
【請求項４５】
前記少なくとも１つの他のデジタル送信機からの前記デジタル・テレビ信号を表示のためにモニタに供給することをさらに含むことを特徴とする請求項４４に記載の方法。
【請求項４６】
前記少なくとも１つの他の測距情報送信機は、無線通信網に関連する少なくとも１つの送信機を含むことを特徴とする請求項４２に記載の方法。
【請求項４７】
移動端末装置のための位置算出回路であって、
前記移動端末装置において送信元デジタル・テレビ送信機からのデジタル・テレビ信号を受信する受信機であって、
前記デジタル・テレビ信号は、前記移動端末装置の近辺における少なくとも１つの他の測距情報送信機のＩＤと、前記送信元デジタル・テレビ送信機のタイミングと前記少なくとも１つの他の測距情報送信機のタイミングの間のタイミング関係を含む受信機と、
前記受信されたタイミング関係に基づいて前記少なくとも１つの他の測距情報送信機からの測距信号を受信する受信機と、
前記送信元デジタル・テレビ送信機から、前記移動端末装置において受信された前記デジタル・テレビ信号から導出された距離推定値、および前記少なくとも１つの他の測距情報送信機から受信された前記測距信号から導出された距離推定値に基づき、前記移動端末装置の位置を推定する位置計算回路とを含むことを特徴とする位置算出回路。
【請求項４８】
前記少なくとも１つの他の測距情報送信機は、少なくとも１つの他のデジタル・テレビ送信機を含み、前記受信された測距信号は、前記少なくとも１つの他のデジタル・テレビ送信機からのデジタル・テレビ信号を含むことを特徴とする請求項４７に記載の回路。
【請求項４９】
前記少なくとも１つの他のデジタル送信機からの前記デジタル・テレビ信号を表示のためにモニタに供給するチューナをさらに含むことを特徴とする請求項４８に記載の回路。
【発明の詳細な説明】
【技術分野】
【０００１】
本発明は、一般に、通信の分野に関し、より詳細には、移動端末デバイスの位置を算出することに関する。
【背景技術】
【０００２】
移動遠隔通信網プロバイダが、例えば、アクティブに通信中のセルラー電話機などのＭＴ（移動端末装置）のおおよその地理的位置を特定することができることが望ましく、一部の地域では、法律により義務付けられている。
【０００３】
様々なＭＴ位置特定技術が提案されている。それらの位置特定技術には、アップリンク信号位置ベースのアプローチ、ダウンリンク信号位置ベースのアプローチ、ＧＰＳ（Ｇｌｏｂａｌ  Ｐｏｓｉｔｉｏｎｉｎｇ  Ｓｙｓｔｅｍ（グローバル・ポジショニング・システム））ベースのアプローチ、およびデジタル・テレビ信号に基づくアプローチが含まれる。「アップリンク信号」位置特定技術の場合、移動遠隔通信網は、通常、１つまたは複数のアップリンク信号に関連する測距値に基づいてＭＴがどこに位置しているかを特定するように構成される。それらのアップリンク信号は、ＭＴによって送信され、例えば、セルラー電話ＢＳ（基地局）などの、既知の位置を有する必要な数の受信機によって受信される。「ダウンリンク信号」位置特定技術の場合、移動遠隔通信網は、通常、既知の位置を有する必要な数の送信機からのダウンリンク信号のＭＴによる受信に関連する測距値に基づいてＭＴがどこに位置しているかを特定するように構成される。
【０００４】
図１は、アップリンク信号およびダウンリンク信号を含め、様々な周知の無線通信標準のいずれか１つを実施することができる慣用の地上移動（無線）遠隔通信網２０を示す。無線網は、基地局２６およびＭＴＳＯ（移動電話中継局）２８によるサービスを受ける複数のセル２４と通信する１つまたは複数の無線移動局２２を含むことが可能である。３つのセル２４だけを図１に示すが、通常のセルラー無線電話網は、数百のセルを含むことが可能であり、複数のＭＴＳＯ２８を含むことが可能であり、数千の無線移動局２２にサービスを提供することができる。
【０００５】
セル２４は、一般に、ネットワーク２０内のノードの役割をして、それらのノードから、セル２４にサービスを提供する基地局２６を介して、無線移動局（端末装置）２２とＭＴＳＯ２８の間でリンクが確立される。各セル２４には、１つまたは複数の専用制御チャネル、および１つまたは複数のトラフィックチャネルが割り当てられる。制御チャネルは、セル識別およびページング情報のダウンリンク伝送（ネットワークから移動局へ）用に使用することができる専用チャネルである。トラフィックチャネルは、音声情報およびデータ情報を伝送する。ネットワーク２０を介して、２重（ダウンリンクおよびアップリンク）無線通信リンク３０が、ＰＳＴＮ（公衆交換電話網）３４を介して、２つの無線移動局２２間で、または無線移動局２２と陸線電話ユーザ３２の間で行われることが可能である。基地局２６の機能は、一般に、セル２４と無線移動局２２の間の無線通信を扱うことである。その役割で、基地局２６は、主にデータ信号および音声信号に関する中継局として機能する。基地局が、地上基地局ではなく、関連するサービスエリアを有する衛星である移動遠隔通信網を提供することも知られている。
【０００６】
その他の位置特定アプローチは、一般に、移動遠隔通信網において使用されるアップリンク信号にも、ダウンリンク信号にも関連しない位置特定サービスを使用する。通常のＧＰＳアプリケーションでは、ＧＰＳ受信機が、既知の位置を有するＧＰＳ衛星によって伝送された信号からの測距値を収集し、分析する。最近には、デジタル・テレビ信号をＭＴの位置特定用に使用できることが提案されている。Ｒａｂｉｎｏｗｉｔｚ，Ｍ．およびＳｐｉｌｋｅｒ，Ｊ．、「Ｐｏｓｉｔｉｏｎｉｎｇ  Ｕｓｉｎｇ  ｔｈｅ  ＡＴＳＣ  Ｄｉｇｉｔａｌ  Ｔｅｌｅｖｉｓｉｏｎ  Ｓｉｇｎａｌ」、Ｒｏｓｕｍ  Ｃｏｒｐｏｒａｔｉｏｎ  Ｗｈｉｔｅｐａｐｅｒ、ｗｗｗ．ｒｏｓｕｍ．ｃｏｍ（２００１年頃）において説明されるとおり、デジタル・テレビは、米国内で実施されており、２００３年５月までには広いサービスエリアを有するものと見込まれる。このため、デジタル・テレビ信号は、少なくとも米国内で、明確な位置を有する地上デジタル・テレビ送信機に関して利用可能であるはずである。Ｒｏｓｕｍ  Ｃｏｒｐｏｒａｔｉｏｎ  Ｗｈｉｔｅｐａｐｅｒは、デジタル・テレビ信号の同期フィールドを使用して、デジタル・テレビ送信機までの距離情報を特定するための技術を提案している。
【０００７】
図３に示すとおり、ＡＴＳＣ標準で規定されたデジタル・テレビ・データ・フレーム６０は、８３２個のシンボルの長さをそれぞれが有する複数のブロックを含む。データ・フレーム６０は、第１の同期ブロック６２および第２の同期ブロック６２を含み、これらの同期ブロック６２間に３１２個のデータ・ブロック６４が存在し、さらなる３１２個のデータ・ブロック６４が、第２の同期ブロック６２の後に続く。さらに、ブロック６２、６４のそれぞれは、同期の目的で使用される４つのシンボルを含むものと規定される。ＡＴＳＣ信号に関する提案される変調スキームは、８−ａｒｙ  ＶＳＢ（８−ａｒｙ  Ｖｅｓｔｉｇｉａｌ  Ｓｉｄｅｂａｎｄ  Ｍｏｄｕｌａｔｉｏｎ（残留側帯波変調））を使用する。
【０００８】
図２に示すとおり、ＧＰＳは、衛星４２およびＧＰＳ制御コンピュータ４８を使用して地球上のあらゆる場所の位置を測定する、宇宙空間ベースの三角測量システムである。ＧＰＳは、当初、ナビゲーション・システムとして米国国防総省によって開発された。地上ベースのシステムに優るこのナビゲーション・システムの利点は、このシステムのサービスエリアが限られていないこと、このシステムが、気象条件に関わらず極めて正確であることが可能な２４時間の継続的なカバレッジを提供することである。最高の精度レベルを提供するＧＰＳ技術は、軍事用に政府によって保留されているが、それほど精度の高くないサービスは、民間用に利用可能にされている。動作の際、地球の周りを軌道を描いて回る一群の２４個の衛星４２が、ＧＰＳ無線信号４４を継続的に発信する。ＧＰＳ受信機４６、例えば、ＧＰＳプロセッサを有するハンドヘルド無線受信機が、最も近い衛星からの無線信号を受信し、その無線信号がＧＰＳ衛星からＧＰＳ受信機アンテナまで伝わるのにかかる時間を測定する。伝搬時間に光速を掛けることにより、ＧＰＳ受信機は、視野内の各衛星に関する距離を計算することができる。衛星無線信号の中で提供される暦表情報が、通常、衛星の軌道および速度を記述し、ＧＰＳプロセッサが、三角測定のプロセスを介してＧＰＳ受信機４６の位置を計算することを一般に可能にする。ＧＰＳ受信機４６を移動局２２の中に含めて、位置特定機能を移動局２２に与えることが知られている。
【０００９】
ＧＰＳ受信機の始動は、通常、４つ以上のＧＰＳ衛星のナビゲーション・データ信号から一組のナビゲーション・パラメータを獲得することを要する。ＧＰＳ受信機を初期設定するこのプロセスには、しばしば、数分かかる。ＧＰＳ位置特定プロセスの時間は、ＧＰＳ受信機が最初にどれだけの情報を有するかに直接に依存する。ほとんどのＧＰＳ受信機には、最長で１年先までの予期される衛星位置を大まかに記述する暦データがプログラミングされている。しかし、ＧＰＳ受信機が自らのおおよその位置のいくらかの知識を有さない場合、ＧＰＳ受信機は、可視の衛星からの信号を十分に迅速に見つけること、または獲得することができず、したがって、自らの位置を迅速に計算することができない。さらに、始動時にＣ／Ａコードおよびナビゲーション・データを捕捉するのに、既に獲得済みの信号を継続的に監視するのに必要とされるよりも高い信号強度が通常、必要とされることに留意されたい。また、ＧＰＳ信号を監視するプロセスは、環境要因によって相当に影響される可能性があることにも留意されたい。このため、野外で容易に獲得されることが可能なＧＰＳ信号は、受信機が樹木の葉に覆われている場合、車内にある場合、または最悪なこととして、建物の中にある場合、通常、獲得するのがより難しくなる。
【００１０】
これらの様々な周知の位置特定技術には、とりわけ、例えば、ＴＯＡ（着信時刻）、ＴＤＯＡ（着信時間差）、ＯＴＤ（観察された時間差）などの測距値を収集することが含まれることが可能である。これらの測距値は、通常、送信信号内／受信信号内で１つまたは複数の特徴を検出することによって収集される。様々な位置特定技術のそれぞれは、その精度に一定の限界がある。例として、既存のＢＳを利用する様々なＴＯＡ位置特定技術、ＴＤＯＡ位置特定技術、およびＯＴＤ位置特定技術は、位置特定プロセスを実行するのに、通常、少なくとも３つ以上のＢＳが、ＭＴからの伝送されたアップリンク信号を受信すること、または反対に、ＭＴが、少なくとも３つのＢＳからの伝送されたダウンリンク信号を受信することを要する。同様に、ＧＰＳアプローチに関して、ＧＰＳ受信機は、一般に、完全な位置特定プロセスを実行するのに、少なくとも４つのＧＰＳ衛星からの伝送された信号を受信することを必要とする（ただし、一部の情報は、３つのＧＰＳ衛星から受信された、伝送された信号に基づいて生成されることが可能である）。
【００１１】
残念ながら、ＭＴと要求される数の既知の位置の送信機／受信機の間に、開けたＬＯＳ（直視界）が常に存在するわけではない。例えば、都市環境では、ＬＯＳは、しばしば、建物および／または他の構造物によって遮られ、他方、他の一部の環境では、自然に存在する地形および／または他の特徴（例えば、山脈、峡谷、森林、気象など）が、ＬＯＳを小さくすること、伝送された信号を減衰させること、または受信機においてマルチパス信号をもたらすことが可能である。多くのより高い周波数の信号、またはより弱い信号に関して、ＬＯＳが失われること、またはそのような障害物が導入されることにより、位置特定技術は相当に不正確になるか、または完全に利用できなくなる可能性がある。
【非特許文献１】Ｒａｂｉｎｏｗｉｔｚ，Ｍ．およびＳｐｉｌｋｅｒ，Ｊ．、「Ｐｏｓｉｔｉｏｎｉｎｇ  Ｕｓｉｎｇ  ｔｈｅ  ＡＴＳＣ  Ｄｉｇｉｔａｌ  Ｔｅｌｅｖｉｓｉｏｎ  Ｓｉｇｎａｌ」、Ｒｏｓｕｍ  Ｃｏｒｐｏｒａｔｉｏｎ  Ｗｈｉｔｅｐａｐｅｒ、ｗｗｗ．ｒｏｓｕｍ．ｃｏｍ（２００１年頃）
【特許文献１】米国特許第６２５２５４３号
【特許文献２】米国特許第６０７００７８号
【特許文献３】米国特許第６２９５０２３号
【発明の開示】
【課題を解決するための手段】
【００１２】
本発明の諸実施形態は、移動端末装置の位置を算出するための方法、端末装置、および回路を含む。移動端末装置の位置は、少なくとも１つのデジタル・テレビ送信機から、移動端末装置において受信されたデジタル・テレビ信号から導出された距離推定値、および少なくとも１つの他のタイプの送信機から、移動端末装置において受信された信号から導出された距離推定値に基づいて推定される。例えば、他のタイプの送信機は、ＧＰＳ衛星、または移動遠隔通信網の基地局であることが可能である。したがって、複数のソースからの測距信号を組み合わせることにより、移動端末装置の位置を推定するのに十分な信号を獲得する際の柔軟性を高めることができ、位置の推定に、弱いデジタル・テレビ信号の使用を要さない可能性がある。
【００１３】
本発明のさらなる諸実施形態では、デジタル・テレビ信号は、第１のタイプの信号であり、移動端末装置の位置を推定することは、移動端末装置においてデジタル・テレビ送信機からのデジタル・テレビ信号、および他のタイプの送信機からの、デジタル・テレビ信号とは異なる第２のタイプの信号を受信することを含む。デジタル・テレビ信号の受信された信号、および第２のタイプの信号の受信された信号に関して、飛行時間が測定される。飛行時間測定値は、距離値に換算され、移動端末装置の位置が、その距離値を使用して推定されて、デジタル・テレビ信号と第２のタイプの信号の両方に基づく位置推定がもたらされる。
【００１４】
本発明の他の諸実施形態では、少なくとも３つの距離値が生成される。受信されるデジタル・テレビ信号および第２のタイプの信号の総数は、３つより多く、受信されたデジタル・テレビ信号の少なくとも１つは、第１の信号品質基準に基づいて飛行時間を測定するために使用するように選択される。さらに、受信された第２のタイプの信号の少なくとも１つは、第２の信号品質基準に基づいて飛行時間を測定するために使用するように選択される。第１の信号品質基準および第２の信号品質基準は、最小受信信号強度であることが可能であり、同一であることも、異なることも可能である。１つまたは複数のデジタル・テレビ信号を含め、受信信号のなかで最良の信号品質を有する複数の受信信号が識別されることが可能であり、飛行時間は、識別された複数の受信信号だけに関して測定されることが可能である。複数の受信信号は、５つ未満の受信信号であることが可能である。
【００１５】
本発明のさらなる実施形態では、デジタル・テレビ信号および第２のタイプの信号とは異なる、１つまたは複数の第３のタイプの信号が、移動端末装置において受信される。受信された１つまたは複数の第３のタイプの信号に関しても飛行時間が測定され、移動端末装置の位置が、距離値を使用して推定されて、デジタル・テレビ信号、第２のタイプの信号、および第３のタイプの信号に基づく位置推定がもたらされる。
【００１６】
本発明の他の諸実施形態では、デジタル・テレビ信号の受信された信号に関する飛行時間を測定すること、および第２のタイプの信号の受信された信号に関する飛行時間を測定することは、デジタル・テレビ信号と第２のタイプの信号の両方に関して、単一の時間測定ユニットを使用してそれぞれの飛行時間を測定することを含む。単一の時間測定ユニットは、移動端末装置内部に配置されることが可能であり、周波数変換器と相関器回路とを含むことが可能である。
【００１７】
本発明のさらなる諸実施形態では、移動端末装置の位置を推定することは、距離推定値を遠隔位置算出サーバに供給することを含む。移動端末装置の位置の推定は、遠隔位置算出サーバ／回路から受け取られる。
【００１８】
本発明の他の諸実施形態では、少なくとも１つのデジタル・テレビ送信機から、移動端末装置において受信されたデジタル・テレビ信号から導出された距離推定値、および移動端末装置によって、移動遠隔通信網の少なくとも１つの基地局に送信された信号から導出された距離推定値に基づき、移動端末装置の位置を推定することを含む、移動端末装置の位置を算出するための方法が提供される。そのような諸実施形態では、移動端末装置の位置を推定することは、移動端末装置から基地局に少なくとも１つの第２のタイプの信号を送信すること、およびデジタル・テレビ信号の受信された信号、および基地局において受信された第２のタイプの信号の送信された信号に関して飛行時間を測定することを含む。複数の基地局が使用されることが可能であり、諸動作には、複数の基地局に関連するクロック、および１つのデジタル・テレビ送信機に関連するクロックを同期させることが含まれることが可能である。
【００１９】
本発明のさらなる諸実施形態では、デジタル・テレビ送信機から受信されたデジタル・テレビ信号を処理するように構成されたテレビ信号処理回路と、デジタル・テレビ送信機とは異なる代替タイプの送信機から受信された測距信号を処理するように構成された第２のタイプの信号処理回路とを含む、移動端末装置用の位置算出回路が提供される。位置計算回路は、デジタル・テレビ送信機から受信されたデジタル・テレビ信号から導出された、デジタル・テレビ送信機の少なくとも１つまでの距離推定値、および代替タイプの送信機からの受信された測距信号から導出された、代替タイプの送信機の少なくとも１つまでの距離推定値に基づき、移動端末装置の位置を推定する。
【００２０】
本発明の他の諸実施形態では、デジタル・テレビ送信機から受信されたデジタル・テレビ信号を処理するように構成されたテレビ信号処理回路と、移動遠隔通信網の基地局から受信された測距信号を処理するように構成された第２のタイプの信号処理回路とを含む、移動端末装置用の位置算出回路が提供される。位置計算回路は、デジタル・テレビ送信機から受信されたデジタル・テレビ信号から導出された、デジタル・テレビ送信機の少なくとも１つまでの距離推定値、および移動端末装置により、移動遠隔通信網の基地局に送信された信号から導出された、移動遠隔通信網送信機の基地局までの距離推定値に基づき、移動端末装置の位置を推定する。
【００２１】
本発明のさらなる諸実施形態では、デジタル・テレビ送信機からのデジタル・テレビ信号を受信し、デジタル・テレビ送信機とは異なる代替タイプの送信機からの測距信号を受信するように構成された受信機を含む移動端末装置が提供される。テレビ信号処理回路が、受信されたデジタル・テレビ信号を処理するように構成される。第２のタイプの信号処理回路が、デジタル・テレビ送信機とは異なる代替タイプの送信機から受信された測距信号を処理するように構成される。位置計算回路が、デジタル・テレビ送信機から受信されたデジタル・テレビ信号から導出された、デジタル・テレビ送信機の少なくとも１つまでの距離推定値、および代替タイプの送信機からの受信された測距信号から導出された、代替タイプの送信機の少なくとも１つの送信機までの距離推定値に基づき、移動端末装置の位置を推定する。位置計算回路は、遠隔位置計算サーバに距離推定値を供給し、遠隔位置計算サーバから移動端末装置の位置の推定を受け取るプロセッサを含むことが可能である。
【００２２】
本発明の他の諸実施形態では、移動端末装置の位置を算出するための方法が提供される。送信元デジタル・テレビ送信機からのデジタル・テレビ信号が、移動端末装置において受信される。受信されたデジタル・テレビ信号は、移動端末装置の付近における１つまたは複数の他の測距情報送信機のＩＤ、および送信元デジタル・テレビ送信機のタイミングと他の測距情報送信機のタイミングの間のタイミング関係を含む。受け取られたタイミング関係に基づいて他の測距情報送信機から、測距信号が受信される。移動端末装置の位置は、送信元デジタル・テレビ送信機から移動端末装置において受信されたデジタル・テレビ信号から導出された距離推定値、および他の測距情報送信機から受信された測距信号から推定される。
【００２３】
他の測距情報送信機は、他のデジタル・テレビ送信機であることが可能であり、他のデジタル・テレビ信号は、受信されたタイミング関係に基づいて獲得されることが可能である。他のデジタル・テレビ送信機からの受信されたデジタル・テレビ信号は、鑑賞のためにチューナによってモニタに供給されることが可能である。対応する位置計算回路も提供されることが可能である。
【発明を実施するための最良の形態】
【００２４】
本発明を、本発明の例示的な実施形態が示された添付の図面を参照して、以下により完全に説明する。ただし、本発明は、多くの異なる形態で実施することができ、本明細書に記載する諸実施形態に限定されるものと解釈されるべきではない。むしろ、それらの実施形態は、本開示が、徹底的で、完全であり、本発明の範囲を当業者に十分に伝えるように提供している。
【００２５】
当業者には理解されるとおり、本発明は、方法、回路、または移動端末装置として実施することができる。したがって、本発明は、完全にハードウェア実施形態の形態をとることも、完全にソフトウェア実施形態の形態をとることも、あるいはソフトウェアの態様とハードウェアの態様を組み合わせた実施形態の形態をとることも可能であり、これらすべてを本明細書では、「回路」と呼ぶ。
【００２６】
本発明の諸動作を実行するためのコンピュータ・プログラム・コードは、Ｊａｖａ（登録商標）、Ｓｍａｌｌｔａｌｋ、またはＣ＋＋などのオブジェクト指向プログラミング言語、「Ｃ」プログラミング言語などの慣用の手続きプログラミング言語、またはアセンブリ言語および／またはマイクロコードなどの低水準コードで書くことができる。プログラム・コードは、スタンドアロンのソフトウェア・パッケージとして、または別のソフトウェア・パッケージの一部として、単一のプロセッサ上で完全に、かつ／または複数のプロセッサにわたって実行することができる。
【００２７】
本発明を、本発明の諸実施形態による方法、装置（システム）、およびコンピュータ・プログラム製品のフローチャート、および／またはブロック図、および／または流れ図を参照して以下に説明する。フローチャートおよび／またはブロック図の各ブロック、およびフローチャートおよび／またはブロック図におけるブロックの組合せは、コンピュータ・プログラム命令で実施できることが理解されよう。それらのコンピュータ・プログラム命令が、汎用コンピュータ、専用コンピュータ、または他のプログラマブル・データ処理装置に与えられて、コンピュータまたは他のプログラマブル・データ処理装置のプロセッサを介して実行される命令が、フローチャートのブロックまたはブロック群、および／またはブロック図のブロックまたはブロック群、および／または流れ図のブロックまたはブロック群において規定された諸機能を実施するための手段を作成するようなマシンをもたらすことが可能である。
【００２８】
それらのコンピュータ・プログラム命令は、コンピュータまたは他のプログラマブル・プロセッサが特定の形で機能するように指示して、コンピュータ可読メモリの中に格納された命令が、フローチャートのブロックまたはブロック群、および／またはブロック図のブロックまたはブロック群において規定された機能を実施する命令手段を含む製造品をもたらすような特定の形で、コンピュータ可読メモリの中に格納することもできる。
【００２９】
コンピュータ・プログラム命令をコンピュータまたは他のプログラマブル・データ・プロセッサに読み込んで、一連の動作ステップがコンピュータ上または他のプログラマブル・プロセッサ上で実行されて、コンピュータによって実施されるプロセスがもたらされるようにして、コンピュータ上または他のプログラマブル・プロセッサ上で実行される命令が、フローチャートおよび／またはブロック図のブロックまたはブロック群において規定される諸機能または諸動作を実施するためのステップを提供するようにすることができる。
【００３０】
本発明の一部の実施形態によれば、例えば、アクティブに通信中のセルラー電話機などのＭＴ（移動端末装置）が、デジタル・テレビ信号位置特定技術を、移動遠隔通信網および／またはＧＰＳ（グローバル・ポジショニング・システム）に関連する１つまたは複数の技術などの代替の位置特定技術と組み合わせることにより、位置特定される。
【００３１】
背景として、それらの個々のシステムのそれぞれは、いくつかの特徴を共通で有する位置特定技術を使用する。例えば、それらのシステムのそれぞれは、送信機または受信機が既知の、または特定可能な地点（すなわち、位置）を有する、送信機と受信機の間で送られる信号からの、要求される数の測距値の収集を使用する。さらに、収集された測距値のそれぞれは、一般に、例えば、光速、またはその信号に関連する伝搬の予期される速度を掛けることにより、時間間隔測定値から、対応する距離測定値に換算することができる。時間から距離への換算が達せられると、従来の三角測量、または他の類似の数学的技術を使用して、既知の位置、および計算された距離に基づき、ＭＴの位置座標を算出することができる。
【００３２】
例えば、ＴＯＡ（着信時刻）位置特定技術のケースでは、ＢＳ（基地局）の位置は、一般に、既知であり、時間とともに変化しない。測距は、１）ＭＴからアップリンク信号の中で繰り返しブロードキャストされる同期された語（同期語）のＴＯＡを各ＢＳに測定させること、２）端末装置との通信に要求されるタイミング・アドバンスを各ＢＳに測定させること、３）ＢＳのそれぞれからの伝送されたダウンリンク信号の中の同期語に基づくＴＯＡをＭＴに別々に測定させることを含め、様々な形で行われることが可能である。ＭＴが比較的平面の環境内に位置しているものと想定すると、地上のｘとｙの位置座標、および同期語（アップリンク伝送、またはダウンリンク伝送された）のブロードキャストの未知の時間について解くのに、一般に、３つのＢＳからの距離情報を要する。
【００３３】
前述したＧＰＳ位置特定技術のケースでは、ＧＰＳ衛星の位置は、時間に対して変化する。このため、ＧＰＳ受信機は、一般に、測距の時刻におけるＧＰＳ衛星の位置を知るために、ＧＰＳ衛星（または地上の正確なＧＰＳ関連ソース）からの正確な時刻測定値を受け取る必要がある。ＧＰＳ受信機と４つのＧＰＳ衛星のそれぞれとの間における測距は、１）各ＧＰＳ衛星によって伝送された信号内で、１０２３チップ長のＧｏｌｄコード・シーケンスの開始点を求めること、２）ビット・エッジの開始時刻を求めること、および３）データ・メッセージの開始時刻を求めることによって行われる。次に、各ＧＰＳ衛星から受信された信号に関する結果の「飛行時間」が、距離に換算される。結果の４つの測距値により、ＧＰＳ受信機の位置をｘ、ｙ、およびｚの座標で解くこと、およびＧＰＳ時刻とＧＰＳ受信機の独立したクロックの間における未知の時間差を算出することが可能になる。
【００３４】
同様に、デジタル・テレビ・システムに関して、デジタル・テレビ信号が、明確な位置を有するデジタル・テレビ送信機から伝送される。伝送された信号は、図３に例示したようなフレーミング構造、およびそれぞれの送信機における、関連する伝送時間基準を有する。受信されたデジタル・テレビ信号に対して同期するために時間オフセットを算出することができ、この時間オフセットは、例えば、それぞれの送信機からの飛行時間値を算出する際に使用することができる。同期信号、またはデータ・シンボルなどの既知の情報を、時間オフセットを算出する際に使用することができる。本発明の諸実施形態において使用するのに適したデジタル・テレビ信号を使用する、そのような距離推定のアプローチは、あたかもその全体が記載しているかのように参照により本明細書に組み込まれている、Ｒｏｓｔｕｍ  Ｃｏｒｐｏｒａｔｉｏｎ  Ｗｈｉｔｅ  Ｐａｐｅｒにおいてさらに説明されている。
【００３５】
このように、以上の実施例では、デジタル・テレビ信号に関する基礎にある位置特定プロセス、および移動遠隔通信網および／またはＧＰＳが、基本的に、いくつかの既知の位置から受信された信号を使用し、十分な数の信号からの測距値を収集して、ＭＴの位置について解く。これらの共通の特徴、およびその他の特徴を、以下により詳細に説明して、本発明が、デジタル・テレビ信号の使用を他のアプローチと組み合わせることにより、位置特定技術および／または位置特定プロセスをどのように有利に組み合わせることができるかを示す。本発明の複合信号タイプ動作で使用するのに適した数学的問題解決法のさらなる説明は、あたかもその全体を記載しているかのように参照により本明細書に組み込まれている、米国特許第６２５２５４３号において提供されている。
【００３６】
本発明の一部の実施形態によれば、信号ソースには、地上ベースの送信機と、時間に関して静的位置および／または動的位置を有する宇宙空間ベースの送信機の任意の実施可能な組合せが含まれることが可能である。したがって、本発明による方法およびデバイスは、デジタル・テレビ信号ベースのアプローチを、様々な異なるタイプの移動端末装置、他のシステムの送信機、および／または専用送信機と組み合わせるのに使用するように適合させることができることが、当業者には認識されよう。ただし、便宜上、本明細書で説明する典型的な諸実施形態は、デジタル・テレビ信号アプローチを、米国特許第６２５２５４３号において説明するような、慣用の移動遠隔通信網（例えば、セルラー網）および／または既存のＧＰＳのいくつかの態様と組み合わせることに向けられる。
【００３７】
本発明の諸実施形態を、図４の移動端末装置１００の概略ブロック図を参照して以下にさらに説明する。図４は、移動無線端末装置１００、デジタル・テレビ送信機からのデジタル・テレビ信号１７０、ＧＰＳ信号１７５、および基地局ダウンリンク／アップリンク信号１８０を示す。移動端末装置１００は、キーボード／キーパッド１０５と、ディスプレイ１１０と、スピーカ１１５と、マイク１２０と、ネットワーク・トランシーバ１２５と、プロセッサ１４０と通信するメモリ１３０とを含むことが可能である。ネットワーク・トランシーバ１２５は、通常、送信機回路１５０と受信機回路１４５とを含み、回路１５０は、発信無線周波数信号を基地局２６に送信し、回路１４５は、着信無線周波数信号を基地局２６から受信することをそれぞれ、アンテナ１６５を介して行う。単一のアンテナ１６５を図４に示すが、受信される信号のタイプに基づき、複数のアンテナ、および／または異なるタイプのアンテナを利用することもできることを理解されたい。移動端末装置１００と基地局２６の間で伝送される無線周波数信号は、別の相手、または別の宛先と通信を確立し、維持するのに使用され、アップリンク通信および／またはダウンリンク通信を提供することができる、トラフィック信号と制御信号（例えば、ページング信号／着信コールに関するメッセージ）の両方を含むことが可能である。ただし、本発明は、そのような双方向通信システムに限定されない。
【００３８】
移動端末装置１００の以上のコンポーネントは、多くの慣用の移動端末装置内部に含まれることが可能であり、以上のコンポーネントの機能は、一般に、当業者には周知である。本明細書で使用する、「移動端末装置」という用語には、マルチライン・ディスプレイを有する、または有さないセルラー無線電話機、セルラー無線電話をデータ処理機能、ファクシミリ機能、およびデータ通信機能を組み合わせることが可能なＰＣＳ（パーソナル・コミュニケーションズ・システム）、無線電話、ポケットベル、インターネット／イントラネット・アクセス、Ｗｅｂブラウザ、オーガナイザ、カレンダ、および／またはＧＰＳ（グローバル・ポジショニング・システム）受信機を含むことが可能なＰＤＡ（パーソナル・データ・アシスタント）、および無線電話トランシーバを含む慣用のラップトップ受信機および／またはパームトップ受信機または他の機器が含まれることが可能であることを理解されたい。
【００３９】
図４の移動端末装置１００内部には、ＤＴＶ（デジタル・テレビ）受信機１５５およびＧＰＳ受信機１６０も示されている。ＤＴＶ受信機１５５は、プロセッサ１４０と協働して、デジタル・テレビ送信機から受信されたデジタル・テレビ信号を処理するように構成されたテレビ信号処理回路を提供する。ＤＴＶ受信機は、受信されたＤＶＴ信号を鑑賞のためにモニタに供給するチューナをさらに含む、またはそのようなチューナに関連することも可能である。ＧＰＳ受信機１６０は、プロセッサ１４０と協働して、ＧＰＳ衛星４２から受信された測距信号を処理するように構成された処理回路を提供する。このため、プロセッサ１４０は、トランシーバ１２５またはＧＰＳ受信機１６０と組み合わさって、デジタル・テレビ送信機とは異なる代替タイプの送信機から受信された測距信号を処理する、代替タイプの信号処理回路を提供する。ネットワーク・トランシーバ１２５は、図４に示すとおり、送信機１５０を含み、ネットワーク・トランシーバ１２５が、移動端末装置１００から、アップリンク・ベースの測距値計算を実行するように構成された（または、そのような計算を行うことができる位置算出回路に関連する）基地局２６に、測距信号を伝送するための信号処理をサポートすることを可能にしていることをさらに理解されたい。
【００４０】
図４に示すとおり、移動端末装置１００は、１つまたは複数のデジタル・テレビ送信機までの距離測定に基づいて移動端末装置１００の位置を推定する位置計算回路１３５をさらに含み、その推定値は、受信されたデジタル・テレビ信号から導出される。また、距離推定値は、基地局２６またはＧＰＳ衛星４２などの、代替タイプの少なくとも１つの送信機からの信号にも基づいて導出される。位置計算回路１３５は、結果の距離推定値を遠隔位置算出サーバ（回路）に供給し、遠隔位置算出サーバから移動端末装置１００の位置の推定を受け取るようにさらに構成されることが可能である。例えば、遠隔位置算出サーバは、基地局２６内、ＭＴＳＯ２８内、または移動遠隔通信網２０の他のコンポーネント内に実装することができる。他の諸実施形態では、位置計算回路１３５は、移動端末装置１００において、移動端末装置１００の位置を推定する計算を実行する。さらに、位置計算回路１３５とプロセッサ１４０は、図４の例示では別々のブロックとして示されているが、それらのブロックの機能は、結合して単一のプロセッサにすることも、本明細書で説明する形で動作するように構成された複数の異なるプロセッサおよび／またはハードウェアにわたって分散されることも可能であることを理解されたい。
【００４１】
本発明は、移動端末装置１００などの通信デバイスまたは通信システムとして実施することができるが、本発明は、そのようなデバイスおよび／またはシステムに限定されない。代わりに、本発明は、デジタル・テレビ信号を含む、少なくとも２つの異なるタイプのシステムからの測距に適した信号を受信する（または送信する）ように構成された、任意の方法、送信機、通信デバイス、通信システム、またはコンピュータ・プログラム製品として実施してもよい。
【００４２】
図５および図８は、本発明の諸実施形態による、移動端末装置１００によって実行されることが可能な諸動作のフローチャートである。本発明の諸実施形態による、移動端末装置の位置を算出することに関連する諸動作を、図５のフローチャートを参照して以下に説明する。図５に示すとおり、デジタル・テレビ信号が、移動端末装置１００において１つまたは複数のデジタル・テレビ送信機から受信される（ブロック２００）。さらに、デジタル・テレビ信号とは異なる第２の代替タイプの信号が、移動端末装置１００において少なくとも１つの他のタイプの送信機から受信される（ブロック２０５）。
【００４３】
前述したＧＰＳ位置特定技術、遠隔通信網ベースの位置特定技術、およびデジタル・テレビ信号ベースの位置特定技術の説明から理解されるとおり、明確な位置ソースによって生成された複数の信号が、いくつかの異なる送信機タイプ・システムのそれぞれから受信されることが可能である。しかし、前述したとおり、移動端末装置の位置の計算は、一般に、距離測定のために使用するのに５つ未満の受信信号を要するが、より多くの受信信号の使用により、向上したパフォーマンスが提供されることが可能である。例えば、ＧＰＳシステムでは、測定は、通常、４つのＧＰＳ衛星からの測距信号に基づく。このため、本発明の様々な実施形態では、動作には、受信信号の信号品質を評価すること（ブロック２１０）、および距離推定値を生成する際に使用する受信信号のなかの信号を選択すること（ブロック２１５）が含まれることが可能である。さらに、ブロック２０５における諸動作には、デジタル・テレビ信号とは異なる２つ以上の別々のタイプの信号を受信することが含まれることが可能である。例えば、ブロック２０５において、ＧＰＳ信号および遠隔通信網ダウンリンク信号が受信されることが可能であり、移動端末装置１００に関する位置推定は、２つ、３つ、またはそれより多くの異なるタイプの送信機システムからの距離推定の組合せに基づくことが可能である。
【００４４】
ブロック２１０における信号品質評価動作は、移動端末装置１００において受信された、デジタル・テレビ送信機、ＧＰＳ衛星、または移動遠隔通信網の基地局から受信された測距信号に適用されることが可能である。さらに、別個の信号品質基準が、各タイプの信号に適用されることも、受信された信号の伝送ソースに関わらず、共通の信号品質基準が適用されることも可能である。本発明の様々な実施形態では、信号品質測定値、および対応する基準は、許容できる最小信号強度と比較された受信信号強度測定値であることが可能である。
【００４５】
本発明の代替の実施形態は、ソースから導出された測距情報を適切に組み合わせることにより位置推定を導出する際に、必要最小限の数より多くの受信信号を利用することができる。例えば、各受信信号ソースからの距離値に、受信信号の信号品質に基づいて重みを付けることができる。一部の実施形態では、各ソースからの距離推定値は、受信信号のＳ／Ｎ（信号対雑音比）によってスケール変更されて（例えば、増倍されて）、位置推定を導出する際に、高品質の信号に基づいて推定された距離により大きい重みを与える。
【００４６】
受信された測距信号の総数が、移動端末装置１００の位置を推定する際に使用される距離推定値の数より多い場合、ブロック２１５で、距離推定値を生成する際に使用される受信信号が選択される。選択は、ブロック２１０で実行された信号品質評価に基づくことが可能である。このため、１つまたは複数のデジタル・テレビ信号が、ブロック２１５において、第１の信号品質基準に基づいて選択されることが可能であり、他のタイプの送信機からの１つまたは複数の他の受信信号が、ブロック２１５において、第２の信号品質基準に基づいて選択されることが可能である。さらなる諸実施形態では、少なくとも１つのデジタル・テレビ信号を含む、受信信号のなかで最良の信号品質を有する複数の受信信号が、ブロック２１５において識別され、距離推定値は、識別された複数の受信信号だけに関して生成される。例えば、最良の信号品質は、測距において使用するために最も容易／迅速に獲得され、最も信頼できる／再現性のある測定値をもたらすような信号強度、誤り率などを有する信号であることが可能である。
【００４７】
すると、距離値は、選択された信号から生成されることが可能であり、移動端末装置１００の位置は、生成された距離値推定を使用して推定されることが可能である（ブロック２２０）。位置推定は、移動端末装置１００において生成されることが可能であり、あるいは、推定を生成する際に使用される情報が、移動端末装置１００によって遠隔の場所に伝送され、次に、位置推定が、必要に応じて移動端末装置１００に戻されてもよい。本発明のさらなる諸実施形態では、着信時刻などの中間測定値が、遠隔位置算出回路に伝送され、距離値推定などのさらに処理された値が、移動端末装置１００において移動端末装置の位置を推定する際に使用するために、移動端末装置１００に戻されることが可能である。当業者には一般的に理解されるとおり、信号ソースの位置、および信号ソースの相対的タイミングは、計算がどこで実行されるかに関わらず、移動端末装置１００の最終的な位置を計算する際に、一般に、既知でなければならない。測距情報に基づいて最終的な位置を計算するためのそのような方法は、一般に知られているので、本明細書でさらに説明することはしない。
【００４８】
本発明の諸実施形態による諸動作を、図６のフローチャートを参照して以下にさらに説明する。図６に示した諸実施形態の場合、デジタル・テレビ信号、少なくとも１つの他のタイプの送信機からの代替の信号が、実質的に、図５を参照してブロック２００および２０５に関して説明したとおりに、ブロック３００および３０５で受信される。図６のブロック３１０、３１５、および３２０を参照して説明する諸動作は、全体的に、図５のブロック２２０に関して説明した諸動作と一致し、図６に示した諸実施形態は、図５の諸実施形態を参照して説明した信号品質評価動作および信号選択動作も含むことが可能であるものと理解される。
【００４９】
図６に示すとおり、デジタル・テレビ信号の受信された信号に関する飛行時間、および代替タイプの信号の受信された信号に関する飛行時間が測定される（ブロック３１０）。飛行時間測定値は、距離値または距離推定値に換算される（ブロック３１５）。次に、移動端末装置の位置が、距離値を使用して推定されて、デジタル・テレビ信号と１つまたは複数の代替タイプの信号の両方に基づく位置推定が提供される。一般に、３つ以上の距離値が、ブロック３１５において生成される。
【００５０】
本発明の特定の実施形態では、ブロック３１０で、単一の時間測定ユニットを使用して、デジタル・テレビ信号と１つまたは複数の代替タイプの信号のそれぞれの飛行時間が測定される。単一の時間測定ユニットは、例えば、位置計算回路１３５（図４）内部に配置された、そのような単一の時間測定ユニットを生成するための手段によって提供されることが可能である。さらに、特定の実施形態では、移動端末装置１００内部で単一の時間測定ユニットを生成し、使用するための手段は、周波数変換器および相関器回路を含むことが可能である。
【００５１】
移動遠隔通信網送信機からのアップリンク信号に基づいて移動端末装置の位置を算出することに関連する諸動作を、図７のフローチャートを参照して以下に説明する。ブロック４００、４１０、４１５、および４２０に関連する諸動作は、全体的に、図５のブロック２００、２１０、２１５、および２２０に関連して前述したとおりに行われる。ただし、図６に示した諸実施形態の場合、移動端末装置の位置は、移動端末装置において受信されたデジタル・テレビ信号から導出された距離推定値、およびそのような測距動作をサポートするように構成された、移動遠隔通信網２０の１つまたは複数の基地局２６に、移動端末装置１００によって伝送された信号から導出された距離推定値に基づいて推定される。したがって、図７のブロック４０５における諸動作には、移動端末装置１００から１つまたは複数の基地局２６に、測距に適したアップリンク・タイプの信号を伝送することが含まれる。
【００５２】
以上のアップリンク・タイプの位置特定システムの説明に鑑みて当業者には理解されるとおり、受信側基地局、または関連する位置算出回路は、アップリンク伝送された測距信号に基づいて、タイミング測定、または他の距離測定を実行することができ、移動端末装置１００において位置を推定する際に使用するために、そのような信号を移動端末装置１００に戻すことができる。代替として、例えば、受信されたデジタル・テレビ信号から、移動端末装置１００において生成された測距値推定が、基地局２６、または他の遠隔位置算出回路に送信されて、アップリンク測距信号測定値と組み合わされ、端末装置１００の位置の推定が生成されることも可能であり、その推定が、必要に応じて移動端末装置１００に戻されることが可能である。さらに、信号品質測定値が、基地局２６において受信されたアップリンク測距信号に適用されることが可能であり、図５および図６を参照して前述したとおり、移動端末装置の位置を推定する際にいずれの距離値推定を使用するかを選択する際に、品質基準が、そのような測定値に適用されることが可能である。
【００５３】
次に図８を参照して、アップリンク測距信号を使用する本発明のさらなる諸実施形態を以下に説明する。図８に示した諸実施形態に関して、ブロック５００および５０５の諸動作は、図７のブロック４００および４０５に関連して前述したとおりの形で行われ、さらに説明する必要はない。さらに、ブロック５１０、５１５、および５２０で説明した諸動作は、全体的に、図６のブロック３１０、３１５、および３２０に関連して説明したとおりに行われる。ただし、アップリンク測距信号に関するブロック５１０における飛行時間測定値は、移動端末装置１００から受信側基地局２６までの飛行時間を表し、この飛行時間測定は、例えば、基地局２６から移動端末装置１００に伝送された受信時刻情報、および移動端末装置１００と基地局２６を同期させるタイミング・オフセットを使用して、基地局２６において実行されることも、移動端末装置１００において実行されることも可能であることが理解されよう。このため、より一般的には、移動端末装置１００から明確な位置の受信機に伝送された信号、または任意のタイプの明確な位置の送信機から、移動端末装置１００において受信された信号に基づくすべての測距タイプの測定は、一般に、遠隔の明確な位置に関連するクロックと移動端末装置１００のクロックを同期させることに基づくことが可能である。さらに、移動端末装置１００の位置を推定する際に使用される、異なる送信機のクロックを、次に、互いに同期させることができる。そのようなクロック同期は、それぞれの位置におけるクロックを調整すること（較正すること）によって、あるいは、位置算出動作において使用するための同期されたクロック値をもたらすようにそれぞれのオフセットを算出することによってもたらされた「仮想」クロックの使用によって提供されることが可能である。
【００５４】
タイミング同期のさらなる利点を適用して、例えば、ＧＰＳ衛星またはデジタル・テレビ送信機からの受信信号に同期するための探索空間を小さくすることができる。ＧＰＳ衛星からの信号に関する探索空間を小さくすることに関して、本発明において使用するのに適した典型的な諸動作が、米国特許第６０７００７８号および米国特許第６２９５０２３号で説明されており、両特許は、あたかもその全体を記載しているかのように、参照により本明細書に組み込まれている。
【００５５】
本発明の特定の実施形態では、移動端末装置１００の位置を特定する際に測距値推定を生成するために受信デジタル・テレビ信号を使用することができるように、そのような信号をより迅速に獲得するため、受信デジタル・テレビ信号の同期シンボルをより効果的に探索することを可能にすることができる、タイミング情報の通信が提供される。このタイミング情報を提供することにより、デジタル・テレビ受信機１５５が、信号を復調し、その信号が許容できる鑑賞のためのある信号品質基準を満たすことを確実にする、完全には機能しない受信機であることが許されることが可能である。より具体的には、デジタル・テレビ受信機１５５は、同期バーストの時刻を特定するだけでよく、この特定の機能に関する処理利得は、一般に、相関利得に起因して極めて大きい。この相関利得は、おおよそどこで同期バーストの時刻を探し出すべきかを知ることにより、さらに増加させることができ、これにより、干渉をさらに低減することができる。したがって、デジタル・テレビ受信機１５５は、普通の動作モードで通常に許されるよりも大きい干渉を容認することができるようにされることが可能である。この干渉は、例えば、隣接するチャネル、およびより強力な近くの送信機から来ることが可能である。非常に狭い時間ウインドウにわたるより長い積分を介して相関利得を増加させることができることにより、テレビ・イメージを観賞するために通常、有するよりも低いチャネル選択性およびフロントエンド直線性を有するデジタル・テレビ受信機１５５を使用することができるようになることが可能である。これにより、移動端末装置１００において使用するためのデジタル・テレビ受信機１５５のより単純で、より安価なインプリメンテーションがもたらされることが可能である。
【００５６】
例えば、より弱いデジタル・テレビ信号を、長い相関時間にわたってより容易に相関させ、平均することが可能であり、探索される必要があるタイムシフトの数を減らすことにより、可能なタイムシフトの範囲全体にわたる探索に要する時間が短縮される。したがって、非常にわずかな追加の事前選択フィルタリングしか伴わずに、特に、セルラー受信機（ＷＣＭＤＡセルラー受信機などの）を含む移動端末装置１００との組合せで、関連するハードウェアの費用の大幅な削減を実現することができる。
【００５７】
そのような利点は、移動端末装置１００に可視であるデジタル・テレビ送信機に関連する同期バースト情報の相対的なタイミングおよび／または位相を提供することにより、本発明に従って提供されることが可能である。タイミング情報、およびその情報に関する複数の時間基準を送信するのに、様々なアプローチをうまく利用することができる。例えば、タイムシフト情報は、セルラー通信チャネルを介して送信されることが可能であり、時間基準は、ＴＤＭＡシステムおよびＣＤＭＡシステムにおいて見られる、マルチフレーム・バーストの始まりなどの、セルラー・チャネルの何らかの固有なタイミング特徴に相対的になるようにすることができる。タイムシフト情報は、代替として、そのようなセルラー・チャネルを介して送信された後、強力なデジタル・テレビ信号のタイミング、または信号同期バースト時間位置に相対して使用されることも可能である。さらなる諸実施形態では、タイムシフト情報は、デジタル・テレビ信号自体を介して伝送されることも可能であり、そのデジタル・テレビ信号に関する同期バースト時刻に相対的なタイミング情報であってもよい。さらなる諸実施形態では、タイムシフト情報は、デジタル・テレビ信号を使用して伝送されることが可能であるが、１つまたは複数の基地局マルチフレーム開始点に相対的になるようにされ、それらの局は、関連する基地局識別番号で識別されることが可能である。そのようなタイミング支援は、例えば、米国特許第６０７００７８号においてＧＰＳシステムに関して説明する形で実施することができる。
【００５８】
本発明の特定の諸実施形態では、デジタル・テレビ信号は、他の近くのデジタル・テレビ送信機のチャネルのＩＤと他のデジタル・テレビ送信機の相対的タイミング情報をともに含むことが可能である。他のデジタル・テレビ送信機群に加えて、またはそれらの代わりに、デジタル・テレビ送信機の近辺の、無線通信網に関連する測距信号ソースなどの他の測距ソースも同様に識別されることが可能であり、そのようなソースに関する相対的タイミング情報も提供されることが可能である。そのような実例では、デジタル・テレビ送信機によるこのＩＤ情報およびタイミング情報のブロードキャストにより、受信機が、無線通信システムの加入者である、または無線通信システムに登録していることなしに、そのようなソースからの測距信号を利用することができるようになることが可能である。
【００５９】
図４ないし図８のフローチャート、流れ図、およびブロック図は、本発明の諸実施形態に従って移動端末装置の位置を推定するためのシステム、方法、およびコンピュータ・プログラム製品の可能なインプリメンテーションのアーキテクチャ、機能、および動作を示す。これに関して、フローチャートまたはブロック図の中の各ブロックは、指定された論理的動作を実施するための１つまたは複数の実行可能命令を含む、コードのモジュール、セグメント、または部分を表すことが可能である。また、一部の代替のインプリメンテーションでは、ブロックの中に示した動作は、図に示した順序から外れて行われることも可能であることにも留意されたい。例えば、連続して示した２つのブロックは、実際には、実質的に同時に実行されてもよく、あるいはブロックは、ときとして、関与する機能に依存して、逆の順序で実行されてもよい。
【００６０】
図面および本明細書では、本発明の通常の例示的な諸実施形態を開示しており、特定の用語を使用しているが、それらの用語は、限定する目的においてではなく、単に一般的な、記述的な意味で使用しており、本発明の範囲は、添付の特許請求の範囲に記載している。
【図面の簡単な説明】
【００６１】
【図１】慣用の無線通信システムを示す概略ブロック図である。
【図２】ＧＰＳシステムを示す概略ブロック図である。
【図３】ＡＴＳＣ標準に準拠するデジタル・テレビ・フレームの概略ブロック図である。
【図４】本発明の諸実施形態による位置計算デバイスを含む端末装置を示す概略ブロック図である。
【図５】本発明の諸実施形態による移動端末装置の位置を推定するための諸動作を示すフローチャートである。
【図６】本発明のさらなる実施形態による移動端末装置の位置を推定するための諸動作を示すフローチャートである。
【図７】本発明のさらなる実施形態による移動端末装置の位置を推定するための諸動作を示すフローチャートである。
【図８】本発明のさらなる実施形態による移動端末装置の位置を推定するための諸動作を示すフローチャートである。
【図１】
2006504094.tif 000003
【図２】
2006504094.tif 000004
【図３】
2006504094.tif 000005
【図４】
2006504094.tif 000006
【図５】
2006504094.tif 000007
【図６】
2006504094.tif 000008
【図７】
2006504094.tif 000009
【図８】
2006504094.tif 000010
【国際調査報告】
2006504094.tif 000011
2006504094.tif 000012
2006504094.tif 000013
2006504094.tif 000014
2006504094.tif 000015
2006504094.tif 000016